(57)【要約】  【課題】自動製氷機付き冷凍冷蔵庫において、製氷完了時間を補正するタイマが固定時間で判定しているため、外気温度変動による影響があった場合に製氷時間が最適でないため、不完全氷ができるという課題を有していた。  【解決手段】外気温度を検出する外気温度検出手段３３からタイマ手段３２により設定する時間を設け、製氷完了判断補助温度３１以下で、設定時間に達した場合に製氷完了と判断し離氷動作を実行することができるようにしたものである。【選択図】図１
2010078205.tif 000002
【特許請求の範囲】
【請求項１】
製氷皿と、該製氷皿を駆動するモータと、製氷皿の温度を検出する温度センサと、外気温度を検出する外気温度検出手段と、計時手段を備えると共に温度センサからの検出温度を入力し該検出温度と予め設定された製氷完了判定温度とを比較して検出温度が製氷完了判定温度以下である場合若しくは、入力した前記検出温度と製氷完了判定温度よりも高く予め設定された製氷完了判定補助温度とを比較して該検出温度が製氷完了判定補助温度以下である時間を外気温度別に設定しタイマ手段にて積算し該積算時間が予め定められた所定時間に達した場合に、製氷完了と判断しモータへの駆動信号を出力して離氷動作を実行する制御手段とを備えたことを特徴とする冷蔵庫。
【請求項２】
外気温度検出手段から外気温度別に製氷完了補正温度を設け、センサ温度が製氷完了判定補助温度以下でタイマ手段により決められた時間が経過すると製氷完了と判断し、モータへの駆動信号を出力して離氷動作を実行する制御手段とを備えたことを特徴とする冷蔵庫。
【請求項３】
コンプレッサ積算時間を計測するコンプレッサ積算タイマからなり、センサ温度が製氷完了判定補助温度以下で前記コンプレッサ積算タイマによる時間が経過すると製氷完了と判断し、モータへの駆動信号を出力して離氷動作を実行する制御手段とを備えたことを特徴とする冷蔵庫。
【請求項４】
デフロストが開始されたかどうか判定するデフロスト開始判定手段からなり、デフロストが開始されるとタイマ手段により設定する時間を変え、設定時間に達した場合に製氷完了と判断し、製氷完了と判断しモータへの駆動信号を出力して離氷動作を実行する制御手段とを備えたことを特徴とする冷蔵庫。
【請求項５】
ドア開の積算時間を計測するドア開積算タイマからなり、ドア開の積算時間より設定する時間を変え、設定時間に達した場合に製氷完了と判断し、製氷完了と判断しモータへの駆動信号を出力して離氷動作を実行する制御手段とを備えたことを特徴とする冷蔵庫。
【発明の詳細な説明】
【技術分野】
【０００１】
本発明は、製氷装置を備えた冷蔵庫に関するものである。
【背景技術】
【０００２】
近年冷蔵庫は自動製氷機が付いたものが主流になっている。冷蔵庫等に組み込まれる自動製氷機は、冷蔵庫内に設けた貯水タンクから製氷用水が給水パイプにより自動的に供給され、製氷が自動的に行われて、氷ができると製氷皿を回転させ、かつひねりを加えて、製氷皿内の氷を貯氷容器内に落下させ、貯氷容器内の氷が一定量に溜まったら、貯氷検知レバー等により検出されて、製氷動作を停止しそして貯氷容器内の氷が少なくなると、それが貯氷検知レバーで検知されて再び水が供給され、製氷が自動的に再開するという構成になっている。
【０００３】
図７は、特許文献１に記載された従来の冷蔵庫の自動製氷機が設けられている部分の構造を示す一部縦断面図であり、図８は自動製氷機の斜視図である。自動製氷装置本体１は、製氷皿３と該製氷皿３を駆動するモータ、ギヤ機構、各種マイクロスイッチ、電子回路基板等を収納した駆動機構部５とから構成されている。製氷皿３の下部には該製氷皿３の温度を検知する温度センサ７が、センサカバー９、センサ押さえ板１１を介してセンサ固定バネ１３により密着固定されている。
【０００４】
上記の如く構成された自動製氷装置本体１は、第４図に示す如く、通常冷凍室１５上部に配設されている。冷凍室１５の上に位置する冷蔵室１７内には、給水タンク１９、水受皿２１、給水ポンプ２３等から構成される給水装置２５が配設されており、該給水装置２５からウレタン内に埋設された給水パイプ２７を介して製氷装置本体１の製氷皿３へ所定量の水が供給されるようになっている。
【０００５】
更に、図９は従来例のフローチャートである。マイクロコンピュータ（制御手段）２９は、製氷皿３の温度を検出する温度センサ７から入力した検出温度と予め定められた製氷完了判定温度３０（−１２．５℃）及び該製氷完了判定温度３０よりも高く設定された製氷完了判定補助温度３１（−８℃）とを比較し、入力した検出温度が製氷完了判定温度３０以下の場合、若しくは入力した検出温度が製氷完了判定補助温度３１以下である時間をタイマ手段３２により積算し、該積算時間が予め定められた所定時間（３Ｈ）に達した場合に製氷完了と判断し離氷動作を実行する。
【特許文献１】特開平０６−３１７３７１号公報
【発明の開示】
【発明が解決しようとする課題】
【０００６】
しかしながら上記所定時間をカウントするタイマ手段（ソフトタイマ）は、固定時間で判定しているため、外気温度変動による影響があった場合に製氷時間が最適でないため、不完全氷ができるという課題を有していた。
【０００７】
本発明は、上記従来の課題を解決するもので、外気温度別に所定時間をカウントするタイマを設けることで、最適な製氷時間を設定することができる自動製氷機付き冷蔵庫を提供することを目的とする。
【課題を解決するための手段】
【０００８】
上記従来の課題を解決するために本発明の冷蔵庫は、外気温度を検出する外気温度検出手段からタイマ手段により設定する時間を設け、設定時間に達した場合に製氷完了と判断し離氷動作を実行することがでるようにしたものである。
【０００９】
また、本発明の冷蔵庫は、前記外気温度検出手段から、外気温度別に前記製氷完了補正温度を設け、センサ温度が製氷完了判定補助温度以下でタイマ手段により決められた時間が経過すると製氷完了と判断し離氷動作を実行することがでるようにしたものである。
【００１０】
また、本発明の冷蔵庫は、コンプレッサ積算時間を計測するコンプレッサ積算タイマからなり、センサ温度が製氷完了判定補助温度以下で前記コンプレッサ積算タイマによる時間が経過すると製氷完了と判断し離氷動作を実行することがでるようにしたものである。
【００１１】
また、本発明の冷蔵庫は、デフロストが開始されたかどうか判定するデフロスト開始判定手段からなり、デフロストが開始されるとタイマ手段により設定する時間を変え、設定時間に達した場合に製氷完了と判断し離氷動作を実行することがでるようにしたものである。
【００１２】
また、本発明の冷蔵庫は、ドア開の積算時間を計測するドア開積算タイマからなり、ドア開の積算時間より設定する時間を変え、設定時間に達した場合に製氷完了と判断し離氷動作を実行することがでるようにしたものである。
【発明の効果】
【００１３】
本発明の冷蔵庫は、外気温度に応じて設定時間を設けることで、外気温度による熱変動に対応することができようにしたものである。
【００１４】
また、本発明の冷蔵庫は、外気温度に応じて製氷完了補助温度を設けるので、最適な温度判定ができるようにしたものである。
【００１５】
また、本発明の冷蔵庫は、コンプレッサ積算タイマによる設定時間を設けるので、運転率に応じて対応することができるようにしたものである。
【００１６】
また、本発明の冷蔵庫は、デフロストが開始されると設定する時間を変えるので、デフロストによるセンサの熱影響に対応することがでるようにしたものである。
【００１７】
また、本発明の冷蔵庫は、ドア開の積算時間より設定する時間を変えるので、ドア開時による製氷室の熱影響に対応することができるようにしたものである。
【発明を実施するための最良の形態】
【００１８】
請求項１に記載の発明は、外気温度を検出する外気温度検出手段からタイマ手段により設定する時間を設け、設定時間に達した場合に製氷完了と判断し離氷動作を実行することができるようにしたものである。
【００１９】
請求項２に記載の発明は、前記外気温度検出手段から、外気温度別に前記製氷完了補正温度を設け、センサ温度が製氷完了判定補助温度以下でタイマ手段により決められた時間が経過すると製氷完了と判断し離氷動作を実行することができるようにしたものである。
【００２０】
請求項３に記載の発明は、コンプレッサ積算時間を計測するコンプレッサ積算タイマからなり、センサ温度が製氷完了判定補助温度以下で前記コンプレッサ積算タイマによる時間が経過すると製氷完了と判断し離氷動作を実行することができるようにしたものである。
【００２１】
請求項４に記載の発明は、デフロストが開始されたかどうか判定するデフロスト開始判定手段からなり、デフロストが開始されるとタイマ手段により設定する時間を変え、設定時間に達した場合に製氷完了と判断し離氷動作を実行することができるようにしたものである。
【００２２】
請求項５に記載の発明は、ドア開の積算時間を計測するドア開積算タイマからなり、ドア開の積算時間より設定する時間を変え、設定時間に達した場合に製氷完了と判断し離氷動作を実行することができるようにしたものである。
【００２３】
以下本発明の実施の形態について図面を参照しながら説明するが、従来例と同一構成について同一符号を付して、その詳細な説明は省略する。なお、この実施の形態によってこの発明が限定されるものではない。
【００２４】
（実施の形態１）
図１は、本発明の実施の形態１における冷蔵庫の各部の温度特性図、図２は、外気温度条件におけるタイマ設定表である。自動製氷のサイクルとして、マイクロコンピュータ２９は、製氷皿３の温度を検出する温度センサ７から入力した検出温度と予め定められた製氷完了判定温度３０（Ｓ１）及び該製氷完了判定温度３０よりも高く設定された製氷完了判定補助温度３１（Ｓ２）とを比較し、入力した検出温度が製氷完了判定温度３０以下の場合、若しくは入力した検出温度が製氷完了判定補助温度３１以下である時間を外気温度検出手段３３により設定を設け、タイマ手段３２により積算し、外気温度検出手段３２より外気温度が低い場合（例えば１５℃）は、該積算時間が予め定められた所定時間（１５０分）に達した場合に製氷完了と判断し離氷動作を実行する。また、外気温度検出手段３２より外気温度が高い場合（例えば３６℃）は、該積算時間が予め定められた所定時間（１８０分）に達した場合に製氷完了と判断し離氷動作を実行する。
【００２５】
次に、図３は、外気温度条件における製氷完了補助温度設定表を示す図である。製氷完了判定温度３０（Ｓ１）及び該製氷完了判定温度３０よりも高く設定され、外気温度判定手段３３により外気温度別に設けられた製氷完了判定補助温度３１（Ｓ２）と比較し、入力した検出温度が製氷完了判定温度３０以下の場合、若しくは入力した検出温度が製氷完了判定補助温度３１以下である時間を設け、タイマ手段３２により積算し、外気温度検出手段３３より外気温度が低い場合（例えば１５℃）は、製氷完了判定補助温度が所定温度（−１１℃）として予め定められた所定時間に達した場合に製氷完了と判断し離氷動作を実行する。
【００２６】
また、外気温度検出手段３３より外気温度が高い場合（例えば３６℃）は、製氷完了判定補助温度３１が所定温度（−８℃）として予め定められた所定時間に達した場合に製氷完了と判断し離氷動作を実行する。
【００２７】
次に、図４は、コンプレッサ積算タイマ３４における製氷完了補助温度設定表を示す図である。製氷完了判定温度３０（Ｓ１）及び該製氷完了判定温度３０よりも高く設定された製氷完了判定補助温度３１（Ｓ２）と比較し、入力した検出温度が製氷完了判定温度３１以下の場合、若しくは入力した検出温度が製氷完了判定補助温度３１以下である時間をコンプレッサ積算タイマ３４により設定を設け、コンプレッサ積算タイマ３４が予め定められた所定時間（５０分）に達した場合に製氷完了と判断し離氷動作を実行する。
【００２８】
また、コンプレッサ該積算時間３４が予め定められた所定時間（８０分）に達した場合に製氷完了と判断し離氷動作を実行する。
【００２９】
次に、図５は、デフロスト時におけるタイマ設定表を示す図である。製氷完了判定温度３０（Ｓ１）及び該製氷完了判定温度３０よりも高く設定された製氷完了判定補助温度３１（Ｓ２）と比較し、入力した検出温度が製氷完了判定温度以下の場合、若しくは入力した検出温度が製氷完了判定補助温度３１以下の時間をデフロスト開始判定手段３５によりデフロスト開始でタイマ設定を設け、デフロストが無い場合は、製氷完了判定補助温度３１以下でタイマ設定が予め定められた所定時間（１５０分）に達した場合に製氷完了と判断し離氷動作を実行する。また、デフロストが有る場合は、製氷完了判定補助温度３１以下でタイマ設定が予め定められた所定時間（１８０分）に達した場合に製氷完了と判断し離氷動作を実行する。
【００３０】
次に、図６は、ドア開時におけるタイマ設定表を示す図である。製氷完了判定温度３０（Ｓ１）及び該製氷完了判定温度３０よりも高く設定された製氷完了判定補助温度３１（Ｓ２）と比較し、入力した検出温度が製氷完了判定温度以下の場合、若しくは入力した検出温度が製氷完了判定補助温度以下である時間をドア開積算タイマ３５により設定を設け、タイマ手段により積算し、ドア開積算時間が少ない場合（例えば５分）は、該積算時間が予め定められた所定時間（１５０分）に達した場合に製氷完了と判断し離氷動作を実行する。また、ドア開積算時間が多い場合（例えば２１分）は、該積算時間が予め定められた所定時間（１８０分）に達した場合に製氷完了と判断し離氷動作を実行する。
【００３１】
本実施の形態では、各々の機能ごとに説明をしたがそれぞれを組み合わせて用いてもなんら問題はない。
【産業上の利用可能性】
【００３２】
以上のように、本発明にかかる冷蔵庫は、外気温度別に所定時間をカウントするタイマを設けることで、最適な製氷時間を設定することができるようにしたので、他のセンサや時間タイマを利用した製氷完了の判定にも適用できる。
【図面の簡単な説明】
【００３３】
【図１】本発明の実施の形態１における冷蔵庫の各部の温度特性図
【図２】本発明の実施の形態１における冷蔵庫の外気温度条件のタイマ設定表を示す図
【図３】本発明の実施の形態１の外気温度条件における冷蔵庫の製氷完了補助温度設定表を示す図
【図４】本発明の実施の形態１のコンプレッサ積算時間における冷蔵庫の製氷完了補助温度設定表を示す図
【図５】本発明の実施の形態１のデフロスト時における冷蔵庫のタイマ設定表を示す図
【図６】本発明の実施の形態１のドア開時における冷蔵庫のタイマ設定表を示す図
【図７】従来冷蔵庫の一部断面図
【図８】従来冷蔵庫の自動製氷機の分解斜視図
【図９】従来冷蔵庫のフローチャート
【符号の説明】
【００３４】
３    製氷皿
７    温度センサ
２９  マイクロコンピュータ
３０  製氷完了判定温度
３１  製氷完了判定補助温度
３２  タイマ手段
３３  外気温度検出手段
３４  コンプレッサ積算タイマ
３５  ドア開積算タイマ
【図１】
2010078205.tif 000003
【図２】
2010078205.tif 000004
【図３】
2010078205.tif 000005
【図４】
2010078205.tif 000006
【図５】
2010078205.tif 000007
【図６】
2010078205.tif 000008
【図７】
2010078205.tif 000009
【図８】
2010078205.tif 000010
【図９】
2010078205.tif 000011